(57)【要約】  平型画面のパネル（６）上に表示可能な画像の輝度への障害的影響を回避するために、センサ（３）とパネルの背後照明を行なう光を持つバックライト（５）との間に、パネル（６）の光透過部分のエージング特性および／または温度特性にほぼ一致するエージング特性および／または温度特性を有する光透過部分（４）を配置することが提案されている。
2007501962.tif 000002
【特許請求の範囲】
【請求項１】
バックライトの光によって背後照明可能である平型画面パネルと、センサによって検出された輝度を予め与え得る目標値に調整するバックライト調節部とを備えた装置において、バックライト（５）とセンサ（３）との間に、パネル（６）の光透過部分のエージング特性および／または温度特性にほぼ一致するエージング特性および／または温度特性を有する光透過部分（４）が配置されていることを特徴とする平型画面パネルを備えた装置。
【請求項２】
光透過部分（４）は、少なくとも拡散フィルム（４ａ）および／または偏光フィルム（４ｂ）を含むことを特徴とする請求項１記載の装置。
【請求項３】
光透過部分（４）は、更にＬＣＤ液体（４ｄ）を有するパネルガラス（４ｃ）を含むことを特徴とする請求項２記載の装置。
【請求項４】
光透過部分（４）は、パネル（６）の光透過部分全体とほぼ同じであることを特徴とする請求項１記載の装置。
【発明の詳細な説明】
【技術分野】
【０００１】
本発明は、バックライトの光によって背後照明可能である平型画面パネルと、センサによって検出された輝度を予め与え得る目標値に調整するバックライト調節部とを備えた装置に関する。
【０００２】
一般に、いわゆるＬＣＤパネル（ＬＣＤディスプレイモジュール）のためのバックライトの輝度調節のために、バックライト調節部が設けられている。このバックライト調節部は、パネルを背後照明する光を放つバックライトの、センサによって検出された輝度をほぼ一定の目標値に調整する。この種の調節部によってバックライトの輝度のみが検出されて調節されるので、パネルに表示可能な画像の輝度への障害的影響は検出されず調節されない欠点がある。例えば、パネルのＬＣＤ液体、拡散フィルムおよび／または偏光フィルムのエージング（ａｇｉｎｇ）作用に基づく画像輝度への障害的影響を検出して相応に補正することはできない。
【０００３】
本発明の課題は、パネルに表示可能な画像の輝度への障害的影響を十分に回避する冒頭に述べた装置を提供することにある。
【０００４】
この課題は、バックライトとセンサとの間に、パネルの光透過部分のエージング特性および／または温度特性に一致するエージング特性および／または温度特性を有する光透過部分が配置されていることによって解決される。
【０００５】
バックライトとセンサとの間に配置された光透過部分は、物理学的構成および物理学的特性がパネルの光透過部分に対応している。バックライトは、一方ではパネルの背後照明を行ない、他方ではバックライトとセンサとの間に配置された光透過部分の背後照明を行なう。それによってセンサは、輝度に関して、パネルのこれらの光透過部分の障害的なエージング作用をほぼ一緒に検出し、バックライト調節部がこれらの障害的なエージング作用を補償する。
【０００６】
本発明の１つの実施態様において、光透過部分は拡散フィルムおよび／または偏光フィルムだけを含む。この簡単に実現可能な実施態様により、輝度への温度およびエージングに関係する部分の障害的影響を検出して補償することができる。
【０００７】
パネルに表示可能な画像の輝度への障害的影響をさらに低減するために、請求項３によれば、光透過部分が更にＬＣＤ（Liquid Crystal Display）液体を有するパネルガラスを含み、それによってガラスのエージング作用および／または温度作用に基づく障害的影響を検出して補償することができる。
【０００８】
本発明の有利な実施態様において、パネルの光透過部分全体が考慮され、対応部分がバックライトとセンサとの間の配置されている。これは、「小さい」パネル（小型パネル）がバックライトとセンサとの間に配置され、小型パネルのサイズがセンサのサイズにほぼ一致することを意味する。障害の影響に関する知識および／またはパネル特性に関する知識は必要でなく、バックライト調節部はこれらの障害を補償する。
【０００９】
以下において本発明を実施例に基づいて図面の唯一の図を参照しながら更に詳細に説明する。図面の図はパネル輝度の調節装置を示す。
【００１０】
１でグラフィックプロセッサが示され、これはバックライト調節部２に、予め与え得る目標輝度に相当する目標値を供給する。センサユニット３は光透過部分４の輝度を検出し、この検出された輝度に相当する実際値を同様にバックライト調節部２に伝達する。このバックライト調節部２は目標値からの実際値の偏差に応じてバックライト５の光の強さを調整する。バックライト５の光は、ＬＣＤパネル６の背後照明を行なうと共に、センサユニット３とバックライト５との間に配置されかつパネルの光透過部分のエージング特性および／または温度特性にほぼ一致するエージング特性および／または温度特性を有する光透過部分４の背後照明を行なう。バックライト５とセンサユニット３との間に光透過部分４をこのように配置することによって、センサユニット３は、パネル６の輝度にほぼ一致する光透過部分４の輝度を検出する。それによって、輝度に関するパネル６の光透過部分の障害的なエージング作用および／または温度作用がほぼ一緒に検出され、バックライト調節部２はこれらの障害的なエージング作用および／または温度作用を補償し、パネル６上に表示可能な画像の輝度を目標値に応じて調節する。
【００１１】
光透過部分４は、簡単な実施形態では、パネル６の拡散フィルム６ａおよび／または偏光フィルム６ｂにほぼ相当する拡散フィルム４ａおよび／または偏光フィルム４ｂを含み、それによってパネルの輝度へのこれらのフィルムの障害的な温度作用およびエージング作用がセンサユニット３によって検出され、バックライト調節部２によって補償される。
【００１２】
パネルに表示可能な画像の輝度への障害的影響を更に低減するために、更に光透過部分４は、パネルガラス６ｃおよび／またはＬＣＤ液体６ｄに相当するガラス４ｃおよびＬＣＤ液体４ｄを備えることができる。それによって、ガラスおよび／またはＬＣＤ液体のエージング作用に基づく障害的影響を検出して補償することができる。
【００１３】
光透過部分４はパネルの光透過部分全体に対応すると好ましい。センサのサイズにほぼ一致するサイズを有するこのように構成された小型パネルにより、パネルのエージング作用および温度作用に基づくほぼ全ての障害を補償することができる。障害作用に関する知識および／またはパネルの特性に関する知識は必要でなく、バックライト調節部が障害を補償する。
【図面の簡単な説明】
【００１４】
【図１】パネル輝度の調節装置の本発明の実施例を示すブロック図
【符号の説明】
【００１５】
１        グラフィックプロセッサ
２        バックライト調節部
３        センサユニット
４        光透過部分
４ａ      拡散フィルム
４ｂ      偏光フィルム
４ｃ      ガラス
４ｄ      ＬＣＤ液体
５        バックライト
６        パネル
６ａ      拡散フィルム
６ｂ      偏光フィルム
６ｃ      パネルガラス
６ｄ      ＬＣＤ液体
2007501962.tif 000003
【国際調査報告】
2007501962.tif 000004
2007501962.tif 000005
2007501962.tif 000006
2007501962.tif 000007